(57)【要約】      （修正有）【課題】エアコンのない環境下で多くのユーザーが涼しく感じることができる知能型冷却服を提供する。【解決手段】服本体１０を含み、服本体の内側には、冷水貯水層２０が設けられ、水循環冷却装置３０をさらに含み、水循環冷却装置の排水口が、冷水貯水層の給水口と連通し、水循環冷却装置の給水口が、冷水貯水層の排水口と連通する知能型冷却服であって、冷水貯水層と水循環冷却装置とを嵌合させて設けられることにより、水循環冷却装置により水を冷却させ水循環を促し、冷水が冷水貯水層を流れた後に人体の熱を吸收することができ、ユーザーを非常に涼しく感じさせるようになる。【選択図】図１
0003224532.tif 000002
【実用新案登録請求の範囲】
【請求項１】
服本体を含み、
前記服本体の内側には、冷水貯水層が設けられ、
水循環冷却装置をさらに含み、
前記水循環冷却装置の排水口が、前記冷水貯水層の給水口と連通し、
前記水循環冷却装置の給水口が、前記冷水貯水層の排水口と連通する、ことを特徴とする
知能型冷却服。
【請求項２】
前記冷水貯水層は、複数であり、
前記複数の冷水貯水層は、ホースにより直列に連通することによりタンデム水路が形成さ
れ、
前記タンデム水路の両端は、それぞれ前記水循環冷却装置の排水口と前記水循環冷却装置
の給水口と連通する、ことを特徴とする請求項1に記載の知能型冷却服。
【請求項３】
前記水循環冷却装置の排水口が、第１のホースにより前記冷水貯水層の給水口と連通し、
前記水循環冷却装置の給水口が第２のホースにより前記冷水貯水層の排水口と連通する、
ことを特徴とする請求項1に記載の知能型冷却服。
【請求項４】
前記冷水貯水層は、２層のシリコーンを熱圧により形成されてなり、
前記２層のシリコーン上には、複数のアレイ配置の角形ブロックが熱圧により形成され、
前記各角形ブロックの周辺には、貯水水道が形成される、ことを特徴とする請求項1に記
載の知能型冷却服。
【請求項５】
前記冷水貯水層が、縫合の方式により前記服本体の内側面に貼り付けて固定される、こと
を特徴とする請求項1に記載の知能型冷却服。
【請求項６】
前記水循環冷却装置が、ハンドバッグ内に置かれる、ことを特徴とする請求項1に記載の
知能型冷却服。
【請求項７】
前記水循環冷却装置は、袋体、制御基板、電池、温度センサー、クーラ、マイクロポンプ
を含み、
前記袋体の給水口が、前記冷水貯水層の排水口と連通し、
前記電池と温度センサーとが、前記制御基板と導通して接続され、
温度センサーが、前記袋体内に設けられ、
前記クーラが、前記袋体内に設けられ前記制御基板と導通して接続され、
前記マイクロポンプの給水口が、前記袋体と連通し、
前記マイクロポンプの排水口が、前記冷水貯水層の給水口と連通し、
前記マイクロポンプが、前記制御基板と導通して接続される、ことを特徴とする請求項1
に記載の知能型冷却服。
【考案の詳細な説明】
【技術分野】
【０００１】
本実用新案は、服装の分野技術に関し、特に知能型冷却服に関する。
【背景技術】
【０００２】
情報技術の急速な発展により、人々は高度な技術によってもたらされる大きな利便性と
利点を経験しており、それらに刺激された製品も人々の生活習慣とライフスタイルを徐々
に変えている。
伝統のウェアラブルスマートデバイスは、ユーザーの環境データと身体の健康データのみ
を収集することにより、データアラートまたはステータス警告を行う。このようなスマー
トデバイスは、ユーザーの生活習慣やライフスタイルにほとんど影響を与えず、ユーザー
に利便性をもたらすことはできない。
人々の生活水準の継続的な改善に伴い、生活の質の向上に対する要求も高まっており、エ
アコンのない環境での多くのユーザーを涼しく感じることができる知能型冷却服を開発す
る必要がある。
【考案の概要】
【０００３】
これを鑑みて、本実用新案は従来技術の欠如に向けられており、その主な目的は、エア
コンのない環境下での多くのユーザーが涼しく感じることができる知能型冷却服を提供す
る。
【０００４】
上記の目的を実現するために、本実用新案は以下の技術案を採用する。
服本体を含み、前記服本体の内側には、冷水貯水層が設けられ、水循環冷却装置をさらに
含み、前記水循環冷却装置の排水口が、前記冷水貯水層の給水口と連通し、前記水循環冷
却装置の給水口が、前記冷水貯水層の排水口と連通する知能型冷却服である。
【０００５】
好ましくは、前記冷水貯水層は、複数であり、前記複数の冷水貯水層は、ホースにより直
列に連通することによりタンデム水路が形成され、前記タンデム水路の両端は、それぞれ
前記水循環冷却装置の排水口と前記水循環冷却装置の給水口と連通する。
【０００６】
好ましくは、前記水循環冷却装置の排水口が、第１のホースにより冷水貯水層の給水口と
連通し、水循環冷却装置の給水口が第２のホースにより冷水貯水層の排水口と連通する。
【０００７】
好ましくは、前記冷水貯水層は、２層のシリコーンを熱圧により形成されてなり、前記２
層のシリコーン上には、複数のアレイ配置の角形ブロックが熱圧により形成され、前記各
角形ブロックの周辺には、貯水水道が形成される。
【０００８】
好ましくは、前記冷水貯水層が、縫合の方式により前記服本体の内側面に貼り付けて固定
される。
【０００９】
好ましくは、前記水循環冷却装置が、ハンドバッグ内に置かれる。
【００１０】
好ましくは、前記水循環冷却装置は、袋体、制御基板、電池、温度センサー、クーラ、マ
イクロポンプを含み、前記袋体の給水口が、前記冷水貯水層の排水口と連通し、前記電池
と温度センサーとが、前記制御基板と導通して接続され、温度センサーが、前記袋体内に
設けられ、前記クーラが、前記袋体内に設けられ前記制御基板と導通して接続され、前記
マイクロポンプの給水口が、前記袋体と連通し、前記マイクロポンプの排水口が、前記冷
水貯水層の給水口と連通し、前記マイクロポンプが、前記制御基板と導通して接続される
。
【００１１】
本実用新案は、以往技術と比べて、顕著な利点及び有益な効果を有し、具体的には、上記
技術案により分かることができる。
冷水貯水層と水循環冷却装置とを嵌合させて設けられることにより、水循環冷却装置によ
り水を冷却させ水循環を促し、冷水が冷水貯水層を流れた後に人体の熱を吸收することが
でき、ユーザーを非常に涼しく感じさせるようになり、エアコンのない環境下での多くの
ユーザーが涼しく感じることができる。
本実用新案の構造の特徴および機能をより明確に説明するために、添付の図面および特定
の実施形態を参照して本実用新案を以下に詳細に説明する。
【図面の簡単な説明】
【００１２】
【図１】本実用新案に係わる好適な実施例の展開概念図である。
【考案を実施するための形態】
【００１３】
符号の説明：
10、服本体
11、ファスナー
20、冷水貯水層
21、角形ブロック
22、貯水水道
30、水循環冷却装置
31、袋体
32、制御基板
33、電池
34、温度センサー
35、クーラ
36、マイクロポンプ
41、ホース
42、第１のホース
43、第２のホース
50、ハンドバッグ
図1を参照して、本実用新案に係わる好適な実施例における服本体10を有する具体的な構
造を示している。
この服本体10は、ベストであり、それにファスナー11が設けられている。
この服本体10の内側には、冷水貯水層20が設けられ、水循環冷却装置30をさらに含み、こ
の水循環冷却装置30の排水口が、冷水貯水層20の給水口と連通し、水循環冷却装置30の給
水口が、冷水貯水層20の排水口と連通する。本実施例において、前記冷水貯水層20は複数
であり、複数の冷水貯水層20は、ホース41により直列に連通することによりタンデム水路
が形成され、タンデム水路の両端は、それぞれ水循環冷却装置30の排水口と水循環冷却装
置30の給水口と連通するとともに、前記水循環冷却装置30の排水口が第１のホース42によ
り冷水貯水層20の給水口と連通し、水循環冷却装置30の給水口が第２のホース43により冷
水貯水層20の排水口と連通する。そして、前記冷水貯水層20は、２層のシリコーンを熱圧
により形成されてなり、２層のシリコーン上には、複数のアレイ配置の角形ブロック21が
熱圧により形成され、各角形ブロック21の周辺には、貯水水道22が形成される。なお、前
記冷水貯水層20が縫合の方式により服本体10の内側面に貼り付けて固定される。
【００１４】
前記水循環冷却装置30は、袋体31、制御基板32、電池33、温度センサー34、クーラ35、マ
イクロポンプ36を含み、この袋体31の給水口が、冷水貯水層20の排水口と連通し、この電
池33と温度センサー34とが、制御基板32と導通して接続され、温度センサー34が袋体31内
に設けられ、このクーラ35が袋体31内に設けられ制御基板32と導通して接続され、このマ
イクロポンプ36の給水口が袋体31と連通し、マイクロポンプ36の排水口が冷水貯水層20の
給水口と連通し、マイクロポンプ36が制御基板32と導通して接続される。そして、前記水
循環冷却装置30がハンドバッグ50内に置かれる。
【００１５】
以下に、本実施例の作動原理を詳しく説明する。
使用する時に、この冷水貯水層20と袋体31とには、何れも一定量の水が蓄積され、ユーザ
ーが服本体10を着た後に、この冷水貯水層20が人体に貼り付けられ、ユーザーが熱く感じ
る時に、水循環冷却装置30をオンとして、電池33が制御基板32へ給電し、クーラ35とマイ
クロポンプ36とが同時に稼働するようになり、クーラ35が袋体31における水を冷却させ、
水温を低下させ、このマイクロポンプ36が水を冷水貯水層20と袋体31との間に往復循環さ
せ、温度の低い水が冷水貯水層20へ送る時に、人体の熱を吸収することができ、ユーザー
が涼しく感じて、冷水貯水層20における水が熱を吸收した後に、袋体31にリフローして冷
却を続けて降温させ、この温度センサー34が、袋体31における水が予め設定された温度ま
で低下したことを検知した時に、この制御基板32が、クーラ35とマイクロポンプ36とが同
時に停止させるように制御しており、温度センサー34が、袋体31における水が予め設定さ
れた温度まで昇温したことを検知した時に、この制御基板32が、クーラ35とマイクロポン
プ36とが再び起動させるように制御する。
【００１６】
本実用新案の設計フォーカスは、冷水貯水層と水循環冷却装置とを嵌合させて設けられる
ことにより、水循環冷却装置により水を冷却させ水循環を促し、冷水が冷水貯水層を流れ
た後に人体の熱を吸收することができ、ユーザーを非常に涼しく感じさせるようになり、
エアコンのない環境下での多くのユーザーが涼しく感じることができる。
【００１７】
本実用新案の技術的原理については、具体的な実施の形態を合わせて説明した。これらの
説明は、本実用新案の原理を解釈するものだけであり、何れの方式により本実用新案の範
囲を限定するものとして解釈されるべきではない。ここでの解釈に基づいて、当業者は、
創造的な労力を必要とせずに本実用新案の他の実施形態を想到することができ、これらの
方法は、本実用新案の保護範囲に含まれる。
【図１】
0003224532.tif 000003